(57)【要約】  【課題】患者を無理矢理きつく締め付けることなく、患者が大腿部スリーブを自発的に外すことが出来ないような安全バンデージを提供する。  【解決手段】患者の身体の腹部領域を包囲する胴体帯１４が可動に接続された保持帯１０と、患者の大腿部を取り囲む大腿部スリーブ５０と、胴体帯１４および大腿部スリーブ５０に接続されて胴体帯１４に対して横向きに配置された２つの脚部保持帯５６、５７と、脚部保持帯５６、５７間に形成された平面部材または横棒状部材５４、５５とを備えた、患者を寝台の上に配置するための安全バンデージ１００。【選択図】図１
2009539515.tif 000002
【特許請求の範囲】
【請求項１】
寝台上に横になった患者の動きを制限するための安全バンデージ（１００）、つまり、患者の身体の腹部領域を包囲する胴体帯（１４）が可動に接続された保持帯（１０）と、患者の大腿部を取り囲む大腿部スリーブ（５０）とで、患者を寝台の上に配置するための安全バンデージ（１００）において、
上記安全バンデージ（１００）は、上記胴体帯（１４）に対して横向きに配置された２つの脚部保持帯（５６、５７）を備え、該脚部保持帯（５６、５７）は、該胴体帯（１４）および上記大腿部スリーブ（５０）を接続しており、該脚部保持帯（５６、５７）の間には、平面部材が形成されているかまたは横棒状部材（５４、５５）が設けられていることを特徴とする、安全バンデージ（１００）。
【請求項２】
上記安全バンデージ（１００）の上側には、２つの縦帯（５２）が配置され、該縦帯（５２）は、それぞれ、１つの大腿部スリーブ（５０）に接続されていることを特徴とする、請求項１に記載の安全バンデージ。
【請求項３】
上記縦帯（５２）のために、上記脚部保持帯（５６、５７）にも接続された第２の横棒状部材（５３）が設けられていることを特徴とする、請求項１または２に記載の安全バンデージ。
【請求項４】
上記胴体帯（１４）に固定してまたは取り外し可能に取り付けられた肩帯（２４ａ、２４ｂ）を備えたことを特徴とする、請求項１〜３のいずれか１項に記載の安全バンデージ。
【請求項５】
上記平面部材および上記横棒状部材（５４、５５）は、布地または織地から構成されている、および／または、網として形成されていることを特徴とする、請求項１〜４のいずれか１項に記載の安全バンデージ。
【請求項６】
上記脚部保持帯（５６、５７）および上記縦帯（５２）は、上記胴体帯（１４）に取り外し可能に取り付けられていることを特徴とする、請求項１〜５のいずれか１項に記載の安全バンデージ。
【請求項７】
上記脚部保持帯（５６、５７）、上記肩帯（２４ａ、２４ｂ）、および、上記縦帯（５２）は、１つの部材として形成され、該１つの部材として形成された該帯（２４ａ、２４ｂ、５２、５６、５７）は、該胴体帯（１４）に設けられた差し込みポケット（１８）内に差し込み可能であることを特徴とする、請求項４〜６のいずれか１項に記載の安全バンデージ。
【請求項８】
上記１つの部材として形成された帯（２４ａ、２４ｂ、５２、５６、５７）は、アイレットおよび／またはポケットおよび／または留め輪を有することを特徴とする、請求項７に記載の安全バンデージ。
【請求項９】
上記胴体帯（１４）にほぼ平行に伸びるウエスト帯（２５）を有し、該ウエスト帯（２５）は上記肩帯（２４ａ、２４ｂ）に配置された留め輪（３０、３１）にそれぞれ差し込み可能であることを特徴とする、請求項７または８に記載の安全バンデージ。
【請求項１０】
上記１つの部材として形成された帯（２４ａ、２４ｂ、５２、５６、５７）は、留め具によって、上記胴体帯（１４）および上記大腿部スリーブ（５０）に固定可能であることを特徴とする、請求項７〜９のいずれか１項に記載の安全バンデージ。
【請求項１１】
上記１つの部材として形成された帯（２４ａ、２４ｂ、５２、５６、５７）は、上記胴体帯（１４）に固定されて縫い付けられていることを特徴とする、請求項７〜１０のいずれか１項に記載の安全バンデージ。
【請求項１２】
ベッド固定具として機能する、上記大腿部スリーブ（５０）の端部（１２ａ、１３ａ）は、上記保持帯（１０）の端部（１２、１３）に斜めに接続可能であることを特徴とする、請求項１〜１１のいずれか１項に記載の安全バンデージ。
【請求項１３】
上記胴体帯（１４）と上記大腿部スリーブ（５０）との間の間隔は調整可能であることを特徴とする、請求項１〜１２のいずれか１項に記載の安全バンデージ。
【請求項１４】
上記第２の横棒状部材（５３）は、上部大腿部領域において締結可能であると共に、患者の大腿部の上部を包囲することを特徴とする、請求項３〜１３のいずれか１項に記載の安全バンデージ。
【請求項１５】
上記横棒状部材（５３）は、接続帯を介して締結可能であり、開口端には閉鎖手段が取り付けられており、該閉鎖手段には該接続帯が取り外し可能に固定可能であることを特徴とする、請求項１４に記載の安全バンデージ。
【請求項１６】
上記胴体帯（１４）は、肩保持具に、固定または取り外し可能に接続されていることを特徴とする、請求項４〜１５のいずれか１項に記載の安全バンデージ。
【請求項１７】
上記肩保持具は、２つの肩帯（２４ａ、２４ｂ）を備え、該肩帯（２４ａ、２４ｂ）は、患者の肩の上方を通り、ウエスト帯（２５、５８、５９）の中心領域において、該ウエスト帯（２５、５８、５９）に接続されており、
上記ウエスト帯（２５、５８、５９）は、患者のウエストを包囲し、
上記ウエスト帯（２５、５８、５９）の両端部は、それぞれ、２つの肩帯（２４ａ、２４ｂ）に（これらを他方では互いに接続させた状態で）取り外し可能に互いに接続されており、
好適な閉鎖手段によって開放され得る締結位置を有する帯留め具が、上記ウエスト帯（２５、５８、５９）の端部と上記肩帯（２４ａ、２４ｂ）とを、一対毎に、互いに接続させることを特徴とする、請求項１６に記載の安全バンデージ。
【請求項１８】
上記ウエスト帯（２５、５８、５９）における上記肩帯（２４ａ、２４ｂ）は、留め輪（２６、２７）を介して、上記胴体帯（１４）に固定されていることを特徴とする、請求項４〜１７のいずれか１項に記載の安全バンデージ。
【請求項１９】
上記肩帯（２４ａ、２４ｂ）には、さらなる胸部帯が配置されることを特徴とする、請求項４〜１８のいずれか１項に記載の安全バンデージ。
【請求項２０】
上記肩帯（２４ａ、２４ｂ）が、取り外し可能に固定されることを特徴とする、請求項４〜１９のいずれか１項に記載の安全バンデージ。
【請求項２１】
少なくとも１つの横棒部材（５４）は、平面状に形成されていることを特徴とする、請求項１〜２０のいずれか１項に記載の安全バンデージ。
【請求項２２】
上記脚部保持帯（５６、５７）は、患者の大腿部を包囲する横棒保持帯を有することを特徴とする、請求項１〜２１のいずれか１項に記載の安全バンデージ。
【請求項２３】
上記横棒保持帯は溝を有しており、該溝を通って上記肩保持具の上記肩帯を差し込み可能であることを特徴とする、請求項２２に記載の安全バンデージ。
【請求項２４】
上記肩保持具は、延長させて実施されると共に、上記大腿部スリーブ（５０）に接続可能であることを特徴とする、請求項１６〜２３のいずれか１項に記載の安全バンデージ。
【請求項２５】
上記脚部保持帯（５６、５７）は、ベッド枠の下端に、取り外し可能に固定可能であることを特徴とする、請求項１〜２４のいずれか１項に記載の安全バンデージ。
【請求項２６】
少なくとも１つの延長帯を、上記横棒状部材（５３、５４、５５）および／または、上記脚部保持帯（５６、５７）および／または、上記保持帯（１０）および／または上記胴体帯（１４）に固定させると共に、上記少なくとも１つの延長帯が上記ベッド枠の下端に取り外し可能に固定可能なように構成されていることを特徴とする、請求項１〜２５のいずれか１項に記載の安全バンデージ。
【請求項２７】
上記肩帯（２４ａ、２４ｂ）および／または、上記保持帯（１０）および／または、上記胴体帯（１４）および／または上記横棒状部材（５４）に、延長帯が固定されているか、または、固定可能であり、上記延長帯は、上記ベッド枠の上端において、取り外し可能に固定可能であることを特徴とする、請求項４〜２６のいずれか１項に記載の安全バンデージ。
【請求項２８】
上記脚部保持帯（５６、５７）、上記肩帯（２４ａ、２４ｂ）および上記縦帯（５２）は、１つの部材として形成され、この１つの部材として形成された帯（２４ａ、２４ｂ、５２、５６、５７）は、上記保持帯（１０）に設けられた差し込みポケット（１８）内に差し込み可能であることを特徴とする、請求項４〜６のいずれか１項に記載の安全バンデージ。
【請求項２９】
上記１つの部材として形成された帯（２４ａ、２４ｂ、５６、５７）は、上記保持帯（１０）に固定されて縫い付けられていることを特徴とする、請求項７〜１０のいずれか１項に記載の安全バンデージ。
【請求項３０】
ベッド固定具として機能する、上記大腿部スリーブ（５０）の端部（１２ａ、１３ａ）は、上記保持帯（１０）の端部（１２、１３）に固定または取り外し可能に接続可能であることを特徴とする、請求項１〜１１のいずれか１項に記載の安全バンデージ。
【請求項３１】
上記肩帯（２４ａ、２４ｂ）は、延長されることを特徴とする、請求項４〜３０のいずれか１項に記載の安全バンデージ。
【請求項３２】
上記胴体帯（１４）と横棒状部材（５５）との間には、肩帯固定具（２１）が配置されており、該肩帯固定具（２１）は、患者の大腿部の周りを通ることが可能であると共に、特に帯留め具で取り囲むことが可能であり、上記肩帯（２４ａ、２４ｂ）を差し込むことが可能な留め輪（２２）を有していることを特徴とする、請求項３１に記載の安全バンデージ。
【請求項３３】
上記留め輪は、上記肩帯（２４ａ、２４ｂ）を固定可能な、帯留め具用のポケットとして形成されていることを特徴とする、請求項３２に記載の安全バンデージ。
【請求項３４】
寝台上に横になった患者の動きを制限するための安全バンデージ（１００）用の追加装備部材、つまり、上記寝台に固定された状態で搭載可能であると共に、上記寝台を超えて伸びる保持帯（１０）であって、患者の身体の腹部領域を包囲する胴体帯（１４）が可動に接続された保持帯（１０）によって、患者を寝台の上に配置するための安全バンデージ（１００）用の追加装備部材において、
上記保持帯（１０）および上記胴体帯（１４）のために、閉鎖手段が設けられており、
上記胴体帯（１４）に対して横向きに配置された２つの脚部保持帯（５６、５７）を含み、該脚部保持帯（５６、５７）は、１つの大腿部スリーブ（５０）を有し、
該脚部保持帯（５６、５７）間には、平面部材または横棒状部材（５４、５５）が設けられており、上記脚部保持帯（５６、５７）が安全バンデージ（１００）に、取り外し可能に、または、取り外し不可能に固定可能であることを特徴とする、安全バンデージ（１００）用の追加装備部材。
【請求項３５】
請求項２〜３３のいずれか１項に記載の安全バンデージ（１００）に対応して形成されていることを特徴とする、請求項３４に記載の安全バンデージ（１００）用の追加装備部材。
【発明の詳細な説明】
【技術分野】
【０００１】
本発明は、寝台上の患者の動きを制限するための安全バンデージ、つまり、患者の身体の腹部領域を包囲する胴体帯が可動に接続された保持帯と患者の大腿部を取り囲む大腿部スリーブとで、患者を寝台の上に配置するための安全バンデージに関する。
【背景技術】
【０００２】
このような安全バンデージは、様々な実施形態で当業者に公知であり、一般によく用いられており、例えば特許文献１に記載されている。
患者の腹部領域の周りに巻き付けた胴体帯によって、患者の可動性は、患者が、監視する人の意思に反して、胴体帯が保持帯を介して固定された寝台を離れることが出来ない程度に制限される。例えば、胴体帯をきつく引っ張ると患者の腹部呼吸を妨げ得るので、胴体帯をきつく引っ張ることなく胴体帯を患者の身体に相対的に固定させるために、特許文献２からは、胴体帯または安全バンデージに対して横向きに並んだ脚部保持帯に、追加的に大腿部スリーブを設けることが知られている。
【特許文献１】ＤＥ２９６０１７０１Ｕ１
【特許文献２】ＤＥ２０３１７７０１Ｕ１
【０００３】
患者の両大腿部は、各大腿部に配置された大腿部スリーブにより取り囲まれており、これら大腿部スリーブは、患者の大腿部の周囲長さを設定するための好適な閉鎖手段を備えている。このような大腿部スリーブは、患者の意識がある状態でも、意識がない状態でも、患者が安全バンデージまたはその胴体帯から下に抜け出すこと、および、寝台（例えばベッドまたは特別に設けられた病人用寝椅子）を離れることが出来ないようにしている。追加的に、患者の股上を介して胴体帯に横向きに伸びる帯が設けられ得る。
【発明の開示】
【発明が解決しようとする課題】
【０００４】
しかしながらこの帯は、患者が帯から抜け出そうとする場合に、性器挫傷を引き起こし得る。また、患者がこの帯を用いて自ら首を絞めることも不可能ではない。
また、このような脚部固定帯および大腿部スリーブを備える安全バンデージでは、特に敏捷な患者が膝を上半身に向かって引き寄せて、胴体帯と大腿部スリーブとの間の相対的な間隔を縮めることが不可能なわけではない。膝が引き寄せられると、脚部保持帯が固定されていないので、患者は大腿部スリーブを、膝を介して外すことが可能である。
【０００５】
従って、本発明の課題は、患者を無理矢理きつく締め付けることなく、患者が大腿部スリーブを自発的に外すことが出来ないように、一般的な安全バンデージを改善することである。特に、大腿部スリーブを外すために、大腿部スリーブを側部に引っ張るかまたは回転させることを阻止する必要がある。
【課題を解決するための手段】
【０００６】
上記課題は、請求項１に記載の特徴によって解決される。
本発明の基本原理は、脚部保持帯の間に平面部材を形成することである。複数の横棒状部材によっても、臀部を固定する平面部材の機能を果たすことが可能である。ここで留意すべき点は、横棒状部材が１つでは十分でないことである。これによって、脚部保持帯が側方から外部に引っ張られ、その結果、各脚部保持帯に割り当てられた大腿部スリーブが、患者の膝を介して患者から外れ得ることを回避する。例えば、患者が、大腿部スリーブを外すために、１つの脚を引き寄せたならば、横棒状部材または平面部材が、この引き寄せることまたはバタつかせることがある程度までは可能なように機能する。
【０００７】
なぜなら、横棒状部材または平面部材を介して、別の脚も、脚部保持帯および大腿部スリーブを通って身体の方に一緒に引き寄せられるからである。しかし、両脚が同時に引き寄せられて、横棒状部材または平面部材が引っ張られないならば、大腿部スリーブを外すことは不可能である。なぜなら、この脚部保持帯によって胴体帯からの大腿部スリーブの最大限可能な離間位置が設定されており、大腿部スリーブを外すことは妨げられるからである。両脚を引き寄せる場合には、横棒状部材または平面部材が患者の大腿部または臀部を軽く加圧するので、大腿部スリーブを外そうとする更なる試みは行われない。
【０００８】
この追加的な横棒状部材または平面部材によって、両脚部保持帯の間隔は、決して、横棒状部材または平面部材によって設定された長さ以上に大きくはなり得ないようになっている。そのため患者が、大腿部スリーブを外すために、例えばその臀部で脚部保持帯の間を通り抜けることは出来ない。
大腿部スリーブを外すことを効果的に阻止するために、当業者は、横棒状部材および平面部材の正確な位置および幅、または、横棒状部材および平面部材の大腿部スリーブおよび胴体帯への間隔を選択することが可能である。
横棒状部材および平面の材料は、このような安全バンデージの公知の材料に相当し、特に、胴体帯、脚部保持帯、または、大腿部スリーブの材料と同一の材料である。
【０００９】
本発明の利点は、この大腿部スリーブによって、患者が安全バンデージから自発的に抜け出すことが不可能である点にあり、股上に追加的な帯を配置する必要がないため、大腿部スリーブは、患者の生殖器を加圧せず、性器挫傷を妨げる。さらにこの追加的な横棒状部材または平面部材によって、患者が連続してまたは同時に複数の大腿部スリーブを外し得ることを回避する。この大腿部スリーブはまた、胴体帯内の患者が下方にずり落ち、胴体帯で患者の胸郭に強い圧力がかかるか、または、患者が自ら首を絞める危険が生じることを回避する。さらに、通常なら患者が自ら首を絞めることを回避するために設ける必要がある対角線状の固定具が必要ないので、患者の行動の自由は比較的多く保たれる。
【００１０】
本発明に係る安全バンデージのさらなる大きな一利点は、ズボン状、上着状、および、寝袋状の構造と異なり、実際、十分に通気面を残した帯を付加しただけであるため、患者を不必要に暖めない、または、患者を過熱状態にしない点である。
本発明の有効な形態を従属請求項に記載する。
【００１１】
好ましい一実施形態では、安全バンデージの上側、または、安全バンデージの胴体帯には、２つの追加的な縦帯が配置されており、該２つの追加的な縦帯はそれぞれ、大腿部スリーブに接続されている。この追加的な縦帯もまた、胴体帯に対してほぼ垂直に並んでおり、安全バンデージを装着した状態では患者の大腿部の上面に伸びて、胴体帯を大腿部スリーブに接続させている。これら縦帯は、上側で、大腿部スリーブと胴体帯との間隔が広がることを阻止して、これら互いの相対的な間隔を保持している。
【００１２】
特に有効な一実施形態によれば、この追加的な縦帯のために第２の横棒状部材が設けられている。この第２の横棒状部材は、上記追加的な縦帯に固定されて（例えば縫い付けられて）おり、安全バンデージが装着された状態では、患者の大腿部の外側に沿って、両大腿部を背後から包囲している。さらにこの第２の横棒状部材は、脚部保持帯に接続されている。第２の横棒状部材は、上記縦帯間の上側で中断されている。これによって、上側の縦帯が中央まで、つまり安全バンデージの対称面まで引っ張り合うことを回避するか、または、これら縦帯が、望ましくない大腿部スリーブと胴体帯との間の間隔を縮めるために動き得ることを回避する。
【００１３】
これはつまり、患者の大腿部の裏側で横棒状部材が伸びており、従って縦帯同士が引き寄せられるのが回避されるのである。１つの縦帯の側部から内部が外れることは、第２の横棒状部材によって別の縦帯上に伝動される牽引力によって阻止される。さらに、脚部保持帯は、該帯の位置でも第２の横棒状部材に固定されている。この途切れずに伸びる第２の横棒状部材は、両大腿部を引き寄せる時に、同様に両大腿部を軽く加圧する。そのため患者は、大腿部スリーブを、１つずつでも、両方同時にも、外すことが出来ない。
【００１４】
さらに、安全バンデージでは、当業者に公知な肩帯を設けることが可能である。これら肩帯はまた、胴体帯に対してほぼ横向きに並んでいるか、または、交差して配置されており、患者の肩の上方を伸びて、胴体帯に固定される。このような肩保持具を共に用いて、患者が安全バンデージから自発的に抜け出すことを実質的に不可能にする。胴体帯に固定してまたは取り外し可能に取り付けられた肩帯によって、大腿部スリーブを外すことが効果的に回避される。患者が、胴体帯、および、それに固定された大腿部スリーブを下にずらし、且つ、その後外すことは不可能である。脚をバタつかせることおよび／または背中を丸めることによって大腿部スリーブを外す試みは、肩帯による牽引力によって、胴体帯および脚部保持帯を介して阻止される。
【００１５】
この安全バンデージには、脚をバタつかせることおよび／または背中を丸めることによって大腿部スリーブと膝との間隔を縮めるようとする試みでは、該間隔が、肩帯から背中および臀部を介して伝えられる牽引力によって、再び、つまり自己調整的に拡大され、これによって大腿部スリーブを外すことが効果的に阻止されるというメカニズムが基礎となっている。この際、縦帯および横棒状部材または平面部材は、このメカニズムが妨げられること、または、回避されることを防ぎ、そのため患者が、取り外すことが出来ない大腿部スリーブによって、下にずり落ちること、および、肩帯によって上に押し上げられることが回避され、その際に自ら首を絞めることまたは性器挫傷を起こす恐れはなく、最終的に、安全バンデージ内に留まることが可能である。
【００１６】
肩保持具は、取り外し可能に、例えば留め輪によって、胴体帯または保持帯に固定されているか、または、これに固着されて配置されている（好ましくはこれに縫い付けられている）ことは、理解されよう。このような肩保持具を、既存の胴体帯用の追加装備部材として構成してもよく、該肩保持具を胴体帯に追加的に取り付けて安全性を高めることが可能である。
【００１７】
安全バンデージの装着時の快適度を高めるために、および、加圧される箇所を回避するために、平面部材および横棒状部材は布地または織地から形成されている。同様に、これに適した材料から成る網も、横棒状部材の機能を果たすことが可能である。第１および第２の横棒状部材、場合によっては大腿部スリーブが、共に１つの部材としてつながって、且つ、平面状に構成されていることも本発明の範囲に含まれる。この場合、このような平面状の実施形態は、両大腿部が引き寄せられると患者の臀部および大腿部の背面を加圧するので、大腿部スリーブを自発的に外すことは不可能である。
【００１８】
ここでは、胴体帯は、以下に説明する肩保持具と、脚部保持帯間の横棒状部材または網とで、１つのユニットを形成している。患者が１つの膝または両膝を引き寄せると、牽引力が、肩帯とつながった網を介して、大腿部スリーブ上に、患者の上半身の方向にかけられるため、患者は膝を介して大腿部スリーブを外すことは出来ない。
【００１９】
既存の安全バンデージに取り外し防止がなされた大腿部スリーブを追加装備するために、胴体帯または保持帯の脚部保持帯と、場合によっては、安全バンデージの上側の縦帯とを、胴体帯に取り外し可能に取り付ける。このために、当業者は、磁石ボタンを備えるアイレット、帯留め具、マジックテープ（登録商標）、留め紐および留め輪、または、それらと同様なものといった従来技術において知られた全固定手段を用いることが可能である。これによって、実質的に胴体帯から構成される安全バンデージに、大腿部スリーブを追加装備することが可能であり、追加的な横棒状部材によって、望ましくない大腿部スリーブが外されることを阻止する。このような追加装備は、既存の胴体帯に縫い付けられてもよい。
【００２０】
脚部保持帯および肩帯および縦帯を１つの部材として形成することが有利であり、ここでは、この１つの部材として形成された帯を、胴体帯または保持帯にある差し込みポケット内に差し込み可能である。このようにして、胴体帯と大腿部スリーブとの間の間隔を変動可能に構成することが可能である。この１つの部材として形成された帯が、アイレットおよび／またはポケットおよび／または留め輪を有していることも有用である。その後、この１つの部材として形成された帯は、差し込みポケットを通って引っ張られ、胴体帯および大腿部スリーブの端部にある留め金で固定される。この固定は、１つの部材として形成された帯が、胴体帯を介して大腿部スリーブに平行に誘導され、胴体帯の上で交差することによって行われる。
【００２１】
ベッド保持具として機能する大腿部スリーブ上の端部は、保持帯の端部に、斜めに固定されてまたは取り外し可能に接続可能であることが有効である。この方法によって、患者が垂直軸の周りを回転することを回避する。
【００２２】
胴体帯は、２つの肩帯を有する肩保持具に固定されていることが有効である。該２つの肩帯は、患者の肩の上方を通り、患者のウエストを取り囲むことが可能なウエスト帯に該ウエスト帯の中心領域において接続される。ウエスト帯の両端部はそれぞれ、両肩帯に（これらを他方では互いに接続させた状態で）取り外し可能に接続される。好適な閉鎖手段によって開放され得る締結位置を有する帯留め具が、ウエストの端部を肩帯の上に、それぞれ一対毎に接続させる。この方法によって、胴体帯または保持帯に対して取り外し可能に取り付けられた肩保持具が、該肩保持具の、胴体帯または保持帯における固定位置を提供することを達成する。胴体帯または保持帯には、従来技術に従って形成される肩保持具を固定させてまたは取り外し可能に接続させてもよい。
【００２３】
本発明のさらなる一形態では、胴体帯に対してほぼ横向きに配置された肩帯の間に、少なくとも１つの追加的な横棒状部材が設けられており、該横棒状部材は、胴体帯にほぼ平行に並んでいる。この追加的な横棒状部材によって、肩帯が側面から外れ、患者の肩を介してずり落ちることが回避される。なぜなら、肩帯のうちの１つが側部から横棒状部材を介して引っ張られると、牽引力が別の肩帯の上に伝動されて、該別の肩帯が最初の肩帯の方向に引っ張られ、その結果、該別の肩帯が例えば患者の喉に突き当たると共に該最初の肩帯がさらに横方向に移動することが妨げられる。同様に、この横棒状部材によって、両肩帯を同時に側方にまたは外側に分離して引っ張られることが阻止される。この追加的な横棒状部材によって、両肩帯の間隔は、決して、横棒状部材によって設定された長さ以上に大きくなり得ないので、患者は、肩帯を外すために、１つの肩帯から肩をくぐり抜けさせることはない。
【００２４】
両肩帯を、胴体帯に対して垂直、且つ、互いに平行に並べる構成、および、交差しながら伸びる肩帯の構成も本発明の範囲に含まれる。
肩帯の取り外しを効果的に阻止するために、当業者は、正確な位置、つまり胴体帯への間隔、および、横棒状部材の幅を選択することが可能である。
互いにほぼ平行に配置された肩帯の間に、胴体帯に対してほぼ横向きに並んだ１つ以上の横棒状部材を設けてもよいことは理解されよう。例えば、安全バンデージの正面では、ほぼ患者の腹部領域において１つのさらなる横棒状部材を設けてもよい。該さらなる横棒状部材は、安全バンデージを容易に装着するために、少なくとも１つの肩帯に取り外し可能に固定されていることが有効である。横棒状部材の材料は、このような安全バンデージの公知の材料に相当し、胴体帯または肩帯の材料と同一の材料であることが有効である。
【００２５】
本実施形態の利点は、患者が自発的に安全バンデージから抜け出すことを、肩帯によって効果的に阻止し、この際、１つの横棒状部材に重なり合って接続された追加的な肩帯によって、患者の行動の自由は、わずかしか制限されない点である。
【００２６】
他の一実施形態では、肩帯は、胴体帯にほぼ平行に並んだ追加的なウエスト帯に配置されている。このウエスト帯は、患者のウエストを巻きつけるために設けられたものであり、好適な閉鎖手段によって、患者のウエストの周囲長さに設定されることが可能である。この肩帯は、特に安全バンデージの背面または下面の、ウエスト帯に固定されており、患者の背中から肩を介して、ウエスト帯の正面または胴体帯の正面に、好適な方法で固定されている。特に、ウエスト帯が胴体帯に対して相対的に動くか、または、側方にわずかに動くことが可能であるように、胴体帯に上記追加的なウエスト帯が通る留め輪を設けることを提案する。
【００２７】
他の一実施形態では、互いにほぼ平行に並んだ肩帯は、胴体帯または保持帯に直接固定されており、患者の肩の上方に導かれ、好適な閉鎖手段によって、胴体帯の正面に固定されている。
【００２８】
本実施形態では、肩帯に、さらに１つの胸部帯が設けられていてもよく、該胸部帯は、患者の身体の背面上で肩帯に固定されていると共に、胴体帯にほぼ横向きに並んでいる。この胸部帯は、患者の胸部領域を取り囲み、患者の正面上で、肩を通って導かれた肩帯に、例えば該肩帯上に形成された舌革または留め輪にも固定されている。
好ましくは、安全バンデージによって患者の肌に加圧箇所が生成されないような、広面積の支持面を実現するために、肩帯間の１つまたはそれ以上の横棒状部材は平面状に構成されている。これによって、横棒状部材は、安全バンデージに知られた材料から成る布地または織地の形に、平たく構成されるか、または、これに適した材料から成る網として構成されることが可能である。
【００２９】
既存の安全バンデージを取り外し防止がなされた肩帯で追加装備するために、肩帯は、胴体帯または保持帯に、取り外し可能に固定されている。このため当業者は、磁石ボタンを備えるアイレット、帯留め具、マジックテープ（登録商標）、留め紐および留め輪、または、それらと同様なものといった従来技術において知られた全固定手段を用いることが可能である。これによって、実質的に胴体帯から構成される安全バンデージを、肩帯で追加装備することが可能である。ここでは、追加的な横棒状部材によって、望ましくない肩帯が外されることが阻止される。このような追加装備は、既存の胴体帯に縫い付けられていてもよい。
【００３０】
両保持帯を、ベッド枠の下端に取り外し可能に固定することが有効である。少なくとも１つの延長帯を、横棒状部材および／または脚部保持帯および／または保持帯および／または胴体帯に固定し、ベッド枠の下端に取り外し可能に固定することも、本発明の範囲において可能である。さらに、本発明の実施可能な一変形例は、肩帯および／または保持帯および／または胴体帯および／または横棒状部材に延長帯が固定されており、該延長帯は、ベッド枠の上端に取り外し可能に固定されている。
【発明の効果】
【００３１】
本発明によれば、以上詳述したように、患者を無理矢理きつく締め付けることなく、患者が大腿部スリーブを自発的に外すことが出来ないような、安全かつ改良された構成のバンデージを提供することができる。
【発明を実施するための最良の形態】
【００３２】
図１は本発明に係る安全バンデージを示す図、図２は肩保持具が取り外し可能に固定された本発明に係る安全バンデージの一実施形態を示す図、図３は肩保持具が取り付けられた安全バンデージの更なる一実施形態を示す図、図４は本発明に係る安全バンデージの更なる一実施形態を示す図である。
【００３３】
図１に示す安全バンデージ１００は、実質的に、保持帯１０から構成されており、該保持帯１０は、ここには図示していない基板上に、該基板を横切った状態で直接載っていると共に、端部１２、１３に設けられた、例えば耳付きナット３２のような固定手段によって、該基板上に固定されている。さらに、安全バンデージ１００は、同じく図示していない方法で保持帯１０に可動に接続された胴体帯１４を有している。胴体帯１４の端部１５、１６はそれぞれ、端部１５、１６の左右方向に平行に配置された３列のアイレット１７を備えている。基本的にアイレット１７は、１列または２列であってもよい。胴体帯１４は、その中央部に、差し込みポケット１８を有しており、該差し込みポケット１８を胴体帯１４に横向きに通って、特許文献２に記載のものに対応する複数の部材から成る帯を差し込むことが可能であるが、これは、安全バンデージ１００の本発明に係る構成では必要ではない。
【００３４】
さらに、胴体帯１４には、さらなる固定帯４３、４４を設けてもよく、該固定帯４３、４４の自由端４５、４６はそれぞれ、例えば上記基板またはベッド台枠に固定するためのアイレット１７を備えている。固定帯４３、４４は、胴体帯１４に取り外し可能に固定されていてもよい。
【００３５】
患者の肩を包囲するために、交差した肩帯２４ａ、２４ｂが追加的な帯２５に配置されており、この肩帯２４ａ、２４ｂの自由端には、アイレット１７が設けられている。この胴体帯１４とほぼ平行に伸びるウエスト帯２５は、胴体帯１４のそばの留め輪２６、２７を通っていると共に、その自由端２８、２９に同じくアイレット１７を有し、ウエスト帯２５を患者のウエストの周りに巻きつけて固定させている。この際、ウエスト帯２５は、一方の肩帯２４ｂに配置された留め輪３０を通り抜けることが可能である。ウエスト帯２５を例えば磁石閉鎖具によって処理するために、他方の肩帯２４ａに留め輪３１が設けられている。
【００３６】
さらに安全バンデージ１００は、幅の広い袖口状の部分を有する２つの大腿部スリーブ５０を備えている。これら大腿部スリーブ５０では、一方の細長い自由端にアイレット１７が設けられており、該アイレット１７は、大腿部スリーブ５０の幅の広い袖口状の部分を、ここには図示していない金属リングを通してもう一方の自由端に留めて、患者の大腿部を完全に包囲するものである。アイレット１７は、例えば、磁石ボタンまたはその他の知られた接続手段によって固定される。各大腿部スリーブ５０は、それぞれ、胴体帯１４にほぼ垂直に並び、該胴体帯１４に固定された脚部保持帯５６、５７に配置されている。
【００３７】
これら脚部保持帯５６、５７の間には、片方の脚だけをまたは患者の大腿部を独立して引き寄せたりまたは揺らしたりすることを阻止するために、横棒状部材５４が設けられている。これによって、膝が患者の胸部に引き寄せられた場合に、大腿部スリーブ５０が、患者から、大腿部から該膝および下腿を介して自発的に外れることを不可能にしている。大腿部スリーブ５０は、寝台の上に固定するための、耳付きナット３２を備えるさらなる端部１２ａ、１３ａを有していてもよく、これら端部１２ａ、１３ａは、保持帯１０に対応している。
【００３８】
さらに、安全バンデージ１００の上側には、さらなる縦帯５２が設けられており、該縦帯５２は、基本的に胴体帯１４から各大腿部スリーブ５０まで伸びると共に、胴体帯１４に対して横向きに並んでいる。縦帯５２は、安全バンデージ１００の裏側を途切れずにぐるりと伸びた第２の横棒状部材５３に接続されている。これによって、同じく胴体帯１４に対してほぼ垂直に並んだ縦帯５２が、例えば安全バンデージ１００の真中まで引き寄せられ、そうして望ましくない大腿部スリーブ５０が外れてしまうことを回避する。さらに、大腿部スリーブ５０の領域には、第３の横棒状部材５５が設けられている。
【００３９】
大腿部スリーブ５０および横棒状部材５３、５４、５５は、これらが患者の肌の上に加圧箇所を形成しないように構成されている。様々な帯および棒状部材を互いに接続するために、これらはそれぞれ、接触位置において互いに、縫合され、および／または、接着され、および／または、安全バンデージ１００用の公知の接続手段によって接続されている。
【００４０】
安全バンデージ１００に大腿部スリーブ５０を追加装備するために、縦帯５２および脚部保持帯５６、５７は、胴体帯１４または保持帯１０（例えば胴体帯１４のアイレット１７）に取り外し可能に固定されており、既存の安全バンデージ１００用の追加装備部材としても提供され得る。
【００４１】
横棒状部材５３、５４、５５は、平面状または網状に形成されていることが可能であり、または、これらが共に平面状の形状の機能を満たすように構成および配置されている。このため、脚または大腿部が引き寄せられる際に患者の臀部および大腿部の裏側を軽く加圧して、同時に、交差した部分２４ａ、２４ｂが、胴体帯１４または大腿部スリーブ５０の反対方向への引張力をかけるので、患者は脚を引き寄せることが出来ない。これによって、加圧箇所が形成されることを効果的に回避する。大腿部スリーブ５０は、例えば横棒状部材５５上に縫い付けられていてもよい。
【００４２】
第２の横棒状部材５３の機能は、特に、脚部保持帯５６、５７またはこれら脚部保持帯間に設けられた平面部材を縦帯５２に接続させ、大腿部スリーブ５０を外すために、大腿部スリーブ５０を側方に引っ張ったり回転させたりすることを阻止することである。臀部を保持する平面部材の機能を横棒状部材５４、５５で実現する場合には、脚部保持帯５６、５７と縦帯５２との間の接続帯を、横帯としても同時に機能する帯５３で実現することにより可能である。
【００４３】
胴体帯１４に固定または取り外し可能に取り付けられた肩帯２４ａ、２４ｂによって、大腿部スリーブ５０を外すことを、患者が胴体帯１４および該胴体帯１４に固定された大腿部スリーブ５０を下に押しやることが出来ず、さらにこれを外すことが出来ないことによって、効果的に回避することが可能である。これによって、脚をバタつかせたり、および／または、背中を丸めたりすることによって大腿部スリーブ５０を外そうとする試みは、肩帯２４ａ、２４ｂによって生じる牽引力によって、胴体帯１４および脚部保持帯５６、５７を介して阻止される。縦帯５２および第２の横棒状部材５３および第１の横棒状部材５４およびさらなる横棒状部材５５などの平面部材は、上述のメカニズムによって取り外すことを回避することにも貢献し、そのため患者が、取り外すことが出来ない大腿部スリーブ５０によって、下にずり落ちること、および、肩帯２４ａ、２４ｂによって上に押し上げられることが回避され、その際に自ら首を絞めることまたは性器挫傷を起こす恐れはなく、最終的に、安全バンデージ内に留まることが可能である。
【００４４】
メカニズムの機能原理は、脚をバタつかせたり、および／または、背中を丸めたりすることによって、大腿部スリーブ５０の膝までの間隔を広げる試みを妨げて、肩帯２４ａ、２４ｂから背中および臀部を介して導かれる牽引力によって該間隔を、つまり自己調整して拡大しようとすることにあり、結果的に大腿部スリーブを外すことが効果的に阻止される。
【００４５】
さらに、胴体帯１４と大腿部スリーブ５０との間の間隔は、胴体帯１４に、脚部保持帯５６、５７が通る差し込みポケット１８を設けることによって可変に構成され得る。しかしながら、この脚部保持帯５６、５７は、胴体帯１４の幅、肩帯２４ａ、２４ｂの長さ、および、縦帯５２の長さに応じて延長され、耳付きナットおよび留め輪に対応するように構成されている。その結果、これらはこの縦帯５２としての機能も果たす。ここでは１つの部材として形成された帯は、つまり差し込みポケット１８を通って引っ張られ、留め具によって、胴体帯１４および大腿部スリーブ５０の端部１５、１６に固定される。
【００４６】
これは、この１つの部材として形成された帯が胴体帯１４を介して、大腿部スリーブ５０に平行に導かれ、胴体帯１４の上で交差していることによって、行われる。この１つの部材として形成された帯が肩の上で外れ得ないように、この帯は、肩保持具に対応するように肩甲骨の高さに縫い付けられており、ウエスト帯２０、２５が差し込まれて留め具の正面で、１つの部材として形成された帯に接続されることが可能であるように、脇の下には、様々な高さに留め輪が設けられている。この際、１つの部材として形成された帯は、胴体帯１４に固定されて縫い付けられていてよい。
【００４７】
端部１２ａ、１３ａ、すなわち大腿部スリーブ５０のベッド保持体も、端部１２、１３に斜めに接続されていてもよい（図示していない）。このようにして、患者が、垂直軸の周りを回転することを回避する。さらに、胴体帯１４と大腿部スリーブ５０との間の間隔を、帯５３が必要ない程度（図示していない）に短く構成されてもよい。端部１２ａ、１３ａは、寝台に固定するためのベッド接続帯として構成してもよい（図示していない）。
【００４８】
図２に脚部保持帯５６、５７無しで示した安全バンデージ１００の実施形態は、基本的に保持帯１０から構成され、該保持帯は、ここには図示していない基板上に、該基板を横切って載置されていると共に、端部１２、１３に設けられた耳付きナット３２のような固定手段によって、上記基板に固定される。さらに、安全バンデージ１００は、同じく図示していない方法で保持帯１０に可動に接続された胴体帯１４を有している。胴体帯１４の各端部１５、１６には、端部１５、１６の左右方向に平行に配置された３列のアイレット１７を備えている。基本的にアイレット１７は、１列または２列であってもよい。このアイレット１７によって、胴体帯１４は、患者の腹部周囲の長さに設定され、固定される。
【００４９】
さらに、胴体帯１４には、さらなる固定帯４３、４４を、側部固定具として設けてもよい。固定帯４３、４４の各自由端４５、４６には、例えば基板またはベッド台枠に固定するためのアイレット１７が設けられている。固定帯４３、４４は、胴体帯１４に取り外し可能に固定されていてもよい。
【００５０】
患者のウエストを包囲するために、安全バンデージ１００には、胴体帯１４にほぼ平行に伸びるウエスト帯２５が設けられている。ウエスト帯２５は、胴体帯１４のそばの留め輪２６、２７を通っており、同じくその自由端２８、２９のアイレット１７を用いて、ウエスト帯２５を患者のウエストの周りに巻き付けて、例えば磁石ボタンで固定している。
【００５１】
ウエスト帯２５には、２つの肩帯２４ａ、２４ｂが固定されている（例えば縫合および／または接着されている）。これらの肩帯２４ａ、２４ｂは、実施形態に応じて平行にまたは交差して並んでおり、患者の肩の上方を通るようになっている。肩帯２４ａ、２４ｂは、その自由端に同じくアイレット１７を備えており、肩帯２４ａ、２４ｂを、ウエスト帯２５または胴体帯１４に、好適な接続手段を介してさらに固定できるようになっている。
【００５２】
患者がその肩を介して、望ましくない肩帯２４ａ、２４ｂを外すことを阻止するために、肩帯２４ａ、２４ｂ間には、胴体帯１４にほぼ平行に並んだ１つまたはそれ以上の横棒状部材５４が設けられている。この１つまたはそれ以上の横棒状部材５４は、肩帯２４ａ、２４ｂを肩の上で外すために、患者が、肩帯２４ａ、２４ｂを引き離すことを妨げる。
【００５３】
図３に脚部保持具５６、５７無しで示した安全バンデージ１００の他の一実施形態では、肩帯２４ａ、２４ｂは、胴体帯１４または保持帯１０に直接配置されており、特に取り外し可能に固定されている。この図でも、肩帯２４ａ、２４ｂを側部に引き離すことを阻止するために、肩帯２４ａ、２４ｂは横棒状部材５４で互いに接続されている。さらに、肩帯２４ａ、２４ｂには、患者の胸部領域を包囲するために、さらなる胸部帯１２５が配置されている。この胸部帯１２５もさらなる横棒状部材５４として機能することが可能である。さらなる胸部帯１２５の自由端５８、５９にも、胸部帯１２５を固定するためのアイレット１７が設けられている。ここでは、胸部帯１２５は、患者の胸部の前で、肩帯２４ａ、２４ｂのここには図示していない留め輪にも通っている。
【００５４】
肩帯２４ａ、２４ｂ、胸部帯１２５、ウエスト帯２５、および、横棒状部材５４は、これらが患者の肌の上に加圧箇所を形成しないように構成されている。例えば、横棒状部材５４は、平面状または網状に形成されていてよい。様々な帯および横棒状部材を互いに接続するために、これらはそれぞれ、その接触位置において互いに、縫い合わされ、および／または、接着され、および／または、安全バンデージ１００用の公知の接続手段によって互いに接続されている。
【００５５】
安全バンデージ１００に、肩帯２４ａ、２４ｂを追加装備するために、肩帯２４ａ、２４ｂは、胴体帯１４または保持帯１０に（例えば胴体帯１４のアイレット１７に）取り外し可能に固定されており、既存の安全バンデージ１００用の追加装備部材としても提供され得る。横棒状部材５４は、患者の背中をわずかしか加圧しないように、平面状または網状に形成されており、患者を過度に阻害することがない。
【００５６】
図４からは、本発明に係る安全バンデージのさらなる一実施形態が明らかになっている。本実施形態では、肩帯２４ａ、２４ｂは延長されている。胴体帯１４と横棒状部材５５との間には、肩帯固定具２１が設置されている。該肩帯固定具２１は、患者の大腿部の周りを通り、特に帯留め具で留めることが可能であると共に、肩帯２４ａ、２４ｂを差し込むことが可能な留め輪２２を有している。ここでは、留め輪２２は、帯留め具用ポケットとして、肩帯２４ａ、２４ｂを固定可能なように形成されている。
【図面の簡単な説明】
【００５７】
【図１】図１は本発明に係る安全バンデージの全体構成を示す図である。
【図２】図２は肩保持具が取り外し可能に固定された、本発明に係る安全バンデージの一実施形態を示す図である。
【図３】図３は肩保持具が取り付けられた、安全バンデージのさらなる一実施形態を示す図である。
【図４】図４は本発明に係る安全バンデージのさらなる一実施形態を示す図である。
【符号の説明】
【００５８】
１０                                        保持帯
１２、１３、１２ａ、１３ａ、１５、１６      端部
１４                                        胴体帯
１７                                        アイレット
１８                                        差し込みポケット
２０、２５                                  ウエスト帯
２１                                        肩帯固定具
２２、２６、２７、３０、３１                留め輪
２４ａ、２４ｂ                              肩帯
２８、２９、４５、４６、５８、５９          自由端
３２                                        耳付きナット
４３、４４                                  固定帯
５０                                        大腿部スリーブ
５２                                        縦帯
５３、５４、５５                            横棒状部材
５６、５７                                  脚部保持帯
１００                                      安全バンデージ
１２５                                      胸部帯
【図１】
2009539515.tif 000003
【図２】
2009539515.tif 000004
【図３】
2009539515.tif 000005
【図４】
2009539515.tif 000006
【国際調査報告】
2009539515.tif 000007
2009539515.tif 000008
2009539515.tif 000009
2009539515.tif 000010